(57)【要約】資源リサイクルに配慮した容易に分解可能な傘骨連接構造を提供する。本発明は傘上の相互に連接する必要がある第一構成部材10と第二構成部材20の間に用いられ、連接構造はベース孔1とベースシャフト2を備え、第一構成部材10上にベース孔1を設置し、第二構成部材20上にはベース孔1中から貫通可能なベースシャフト2を設置し、ベースシャフト2の頂点部には、ある一定の角度のみ、ベースシャフト2に従いベース孔1を貫通して旋回し、ベース孔1辺縁に係合する凸つまみ21を備え、本発明は組立てと分解に便利で、使用上の安全性が高く、使用寿命が長いだけでなく、消費者の多様化に対するニーズに応えることができ、傘が壊れた時には分解が容易であるため、資源のリサイクルに有利で、環境に優しい構造である。
2013540539.tif 000002
【特許請求の範囲】
【請求項１】
傘上の相互に連接する必要がある第一構成部材と第二構成部材の間に用いられる、容易に分解可能な傘骨連接構造であって、
前記傘骨連接構造は、ベース孔とベースシャフトを備え、前記第一構成部材上には、前記ベース孔を設置し、前記第二構成部材上には、前記ベース孔中から貫通可能なベースシャフトを設置し、前記ベースシャフトの頂点部には、ある一定の角度のみ、前記ベースシャフトに従い前記ベース孔を貫通して、旋回し前記ベース孔辺縁に係合する凸つまみを備えることを特徴とする容易に分解可能な傘骨連接構造。
【請求項２】
前記ベース孔の内壁上には、１個の側溝を開設し、
前記ベースシャフトの頂点部には、１個の凸つまみを設けることを特徴とする請求項１に記載の容易に分解可能な傘骨連接構造。
【請求項３】
前記ベース孔の内壁上には、形が異なる２個の側溝を開設し、
前記ベースシャフトの頂点部には、形が異なる２個の凸つまみを設けることを特徴とする請求項１に記載の容易に分解可能な傘骨連接構造。
【請求項４】
前記ベース孔内壁の第一側溝は細長い形状で、第二側溝は幅が広く短い形状で、
前記ベースシャフト頂点部の第一凸つまみは、前記第一側溝に対応し細長い形状で、第二凸つまみは、前記第二側溝に対応し幅が広く短い形状であることを特徴とする請求項３に記載の容易に分解可能な傘骨連接構造。
【請求項５】
前記ベース孔内壁の第一側溝は、外向きに拡張する扇形で、第二側溝は、内向きに拡張する扇形で、
前記ベースシャフト頂点部の第一凸つまみは、前記第一側溝に対応した、外向きに拡張する扇形で、第二凸つまみは、前記第二側溝に対応した、内向きに拡張する扇形であることを特徴とする請求項３に記載の容易に分解可能な傘骨連接構造。
【請求項６】
前記ベース孔上には、前記ベースシャフト頂点部の凸つまみを収容設置する沈めフライスを設置することを特徴とする請求項１に記載の容易に分解可能な傘骨連接構造。
【請求項７】
前記第一構成部材は、ベース孔を設置する１本の傘骨ロッドで、
前記第二構成部材は、ベースシャフトを設置するもう１本の傘骨ロッドであることを特徴とする請求項１に記載の容易に分解可能な傘骨連接構造。
【請求項８】
前記第一構成部材は、ベース孔を設置するロクロで、
前記第二構成部材は、ベースシャフトを設置する傘骨であることを特徴とする請求項１に記載の容易に分解可能な傘骨連接構造。
【請求項９】
前記第一構成部材は、ベース孔を設置する傘骨で、
前記第二構成部材は、ベースシャフトを設置するロクロであることを特徴とする請求項１に記載の容易に分解可能な傘骨連接構造。
【発明の詳細な説明】
【技術分野】
【０００１】
本発明は傘骨連接構造に関し、特に容易に分解可能な傘骨連接構造に関する。
【背景技術】
【０００２】
従来の技術では、傘骨の各ロッドの間、傘骨とロクロとの間は、ほとんどがリベット或いはワイヤーを採用して連接し、傘骨と傘布との間は、縫製により固定する。
しかし、このような連接方式には、以下のような欠点が存在する。
【０００３】
（１）リベット或いはワイヤーを利用し傘骨のロッドと傘骨とロクロを連接すれば、分解とメンテナンスに不便であり、さらに使用中にワイヤーが錆び易く、手を傷つけ、或いは傘布を破ってしまう恐れがあり、使用寿命に影響を及ぼし、安全性も劣る。
（２）縫製を採用し傘骨と傘布を固定すれば、同様に分解が不便で、メンテナンスも不便であるという欠点が存在し、使用中は、糸が摩断し易く、或いは糸の先端がばらつき、傘布が傘骨から離れて正常な使用ができなくなることもあり、その使用寿命は短い。
（３）上記したように、傘骨の各ロッド間、傘骨とロクロとの間、傘骨と傘布との間の連接は分解しにくいため、消費者は自分の好みに応じて、傘骨、ロクロ、傘布の交換を行うことができず、消費者のDIYと多様化に対するニーズに応えることができない。
（４）傘が壊れた時、特に傘骨がプラスチック材質である時には、リベット、ワイヤー、縫製を時間をかけて一つ一つ分解しなければならない。こうしなければ、材質が異なる傘骨、ロクロ、傘布を分けることができず、分類リサイクルに不利であるため、廃棄、或いは混雑リサイクルされてしまい、資源の再利用と環境保護にとって縁である。
本発明は、従来の傘骨連接構造の上記した欠点に鑑みてなされたものである。
【先行技術文献】
【特許文献】
【０００４】
【特許文献１】なし
【発明の概要】
【発明が解決しようとする課題】
【０００５】
本発明が解決しようとする課題は、組立てと分解に便利で、使用上の安全性が高く、使用寿命が長いだけでなく、消費者の多様化に対するニーズに応えることができ、同時に傘が壊れた時には、分解が容易であるため、資源のリサイクルに有利で、環境に優しい容易に分解可能な傘骨連接構造を提供することである。
【課題を解決するための手段】
【０００６】
上記課題を解決するため、本発明は下記の容易に分解可能な傘骨連接構造を提供する。
容易に分解可能な傘骨連接構造は、傘上の相互に連接する必要がある第一構成部材と第二構成部材の間に用いられ、
該連接構造は、ベース孔とベースシャフトを備え、
該第一構成部材上に、ベース孔を設置し、
該第二構成部材上には、該ベース孔中から貫通可能なベースシャフトを設置し、
該ベースシャフトの頂点部には、ある一定の角度のみ、該ベースシャフトに従い該ベース孔を貫通して、旋回し該ベース孔辺縁に係合する凸つまみを備え、
該ベース孔の内壁上には、１個の側溝を開設し、該ベースシャフトの頂点部には、１個の凸つまみを備え、
該ベース孔の内壁上には、形が異なる２個の側溝を開設し、該ベースシャフトの頂点部には、形が異なる２個の凸つまみを備え、
該ベース孔内壁の第一側溝は細長い形状で、第二側溝は幅が広く短い形状で、該ベースシャフト頂点部の第一凸つまみは、第一側溝に対応し、細長い形状で、第二凸つまみは、第二側溝に対応し、幅が広く短い形状で、
該ベース孔内壁の第一側溝は、外向きに拡張する扇形で、第二側溝は、内向きに拡張する扇形で、
該ベースシャフト頂点部の第一凸つまみは、第一側溝に対応した、外向きに拡張する扇形で、第二凸つまみは、該第二側溝に対応した、内向きに拡張する扇形で、
該ベース孔上には、該ベースシャフト頂点部の凸つまみを収容設置する沈めフライスを設置し、
該第一構成部材は、ベース孔を設置する１本の傘骨ロッドで、該第二構成部材は、ベースシャフトを設置するもう１本の傘骨ロッドで、
該第一構成部材は、ベース孔を設置するロクロで、該第二構成部材は、ベースシャフトを設置する傘骨で、
該第一構成部材は、ベース孔を設置する傘骨で、該第二構成部材は、ベースシャフトを設置するロクロで、
上記構造により、本発明を連接と組立てに運用する時には、該第二構成部材上に設置するベースシャフトを、該第一構成部材のベース孔に貫通させ、次に該ベースシャフトをわずかに回転させ、該ベースシャフト頂点部の凸つまみを、該ベース孔辺縁上に係合させ、該ベースシャフトの該ベース孔からの脱出を阻止し、傘上の相互に連接する必要がある第一構成部材と第二構成部材の間の連接を完成し、
分解する場合には、反対方向に、該ベースシャフトをわずかに回転させ、該ベース孔辺縁の係合から該凸つまみを自由にすれば、該ベースシャフトを該ベース孔中から抜き取ることができ、傘上の第一構成部材と第二構成部材との間の分解を完成させられる。
【発明の効果】
【０００７】
本発明の容易に分解可能な傘骨連接構造により、組立てと分解操作は非常に便利で容易となり、手を傷つける恐れがなくなり、組立てと分解が便利なためメンテナンス後に再び組立てる際にも便利で、自ら操作できるため消費者の多様化に対するニーズに応えることができ、また傘をリサイクルする時にも、分解が容易なため資源の分類とリサイクル利用に有利で、環境に優しく、しかもワイヤー、リベット等による連接を使用せず、凸つまみはある一角度のみ、ベースシャフトに従いベース孔を貫通するため、組立て時には、この特定の角度だけを、旋回してずらせば、組立てて定位できるため、連接が堅固で緩むことがなく、組立て後の正常使用を保証でき、使用寿命が長く、使用においてもさらに安全である。
【図面の簡単な説明】
【０００８】
【図１】本発明を傘骨のロッド間の連接に適する様子を示す組合せ模式図である。
【図２】本発明を傘骨のロッド間の連接に適する傘を閉じる様子を示す模式図である。
【図３】本発明を傘骨のロッド間の連接に適する傘を開く様子を示す模式図である。
【図４】本発明を傘骨のロッド間の連接に適する様子を示す組合せ過程模式図（一）である。
【図５】本発明を傘骨のロッド間の連接に適する様子を示す組合せ過程模式図（二）である。
【図６】本発明を傘骨のロッド間の連接に適する様子を示す組合せ過程模式図（三）である。
【図７】本発明を傘骨のロッド間の連接に適する様子を示す組合せ過程模式図（四）である。
【図８】本発明のベース孔とベースシャフトの第一実施例の模式図である。
【図９】本発明のベース孔とベースシャフトの第二実施例の模式図である。
【図１０】本発明のベース孔とベースシャフトの第三実施例の模式図である。
【発明を実施するための形態】
【０００９】
以下に図面を参照しながら本発明を実施するための最良の形態について詳述する。
【００１０】
本発明容易に分解可能な傘骨連接構造は、傘上の、相互に連接する必要がある第一構成部材と第二構成部材との間に適用する。
【００１１】
図1〜7に示すように、本発明は傘骨のロッド間に応用し、連接構造ベース孔1とベースシャフト2を備える。第一構成部材10は、ベース孔1を設置する１本の傘骨ロッドで、第二構成部材20は、ベースシャフト2を設置するもう１本の傘骨ロッドである。ベースシャフト2は、ベース孔1から通過して露出し、ベースシャフト2の頂点部には、凸つまみを備える。凸つまみは、ベースシャフト2が、ある特定の角度にある時だけ、ベース孔1から露出し（図1、4、5参照)、ベース孔1の辺縁に回転係合することで、ベースシャフト2は、ベース孔1中に位置を限定され、離脱することはない。図2と図6は、傘を閉じた位置で、図3と図7は、傘を開いた位置であるが、ベースシャフト2は共に、ベース孔1中から離脱せず、すなわちこれにより傘骨ロッド間の連接を実現する。
【００１２】
ベース孔1とベースシャフト2の形態には、さまざまある。図10に示すように、ベース孔1は、円孔12と円孔12内壁の側溝11により組成する。ベースシャフト2の頂点部には、１個の凸つまみ21を備え、この凸つまみ21は、側溝11からだけ通すことができ、旋回して円孔12の辺縁上に係合する。
【００１３】
図8に示すように、ベース孔1は、円孔12と円孔12内壁の２個の形が異なる側溝14、15により組成する。第一側溝14は、外向きに拡張する扇形で、第二側溝15は、内向きに拡張する扇形である。ベースシャフト2の頂点部には、２個の形が異なる凸つまみ22、23を備える。第一凸つまみ22は、第一側溝14に対応した、外向きに拡張する扇形で、第二凸つまみ23は、第二側溝15に対応した、内向きに拡張する扇形である。２個の形が異なる凸つまみ22、23は、対応する側溝14、15からだけ通過でき、旋回して円孔12の辺縁上に係合する。
【００１４】
図9に示すように、ベース孔1は、円孔12と円孔12内壁の形が異なる２個の側溝16、17により組成する。第一側溝16は細長い形状で、第二側溝17は幅が広く短い形状で、ベースシャフト2の頂点部には、形が異なる２個の凸つまみ24、25を備える。第一凸つまみ24は、第一側溝16に対応し、細長い形状で、第二凸つまみ25は、第二側溝17に対応し、幅が広く短い形状で、２個の形が異なる凸つまみ24、25は、対応する側溝16、17からのみ通過でき、旋回して円孔12の辺縁上に係合する。
【００１５】
ベース孔1は、類似の長方孔で、ベースシャフト2の底部は、長方孔から通過できる正方柱で、ベースシャフト2の頂点部は、長方孔から通過できる長方形で、ベースシャフト2の頂点部の底部に突出する部分は凸つまみである。ベース孔1は、楕円孔とすることができ、この場合には、ベースシャフト2の底部は、楕円孔から通過する円柱で、ベースシャフト2の頂点部は、楕円孔から通過できる楕円形で、ベースシャフト2の頂点部の底部に突出する部分は凸つまみである。ベース孔1とベースシャフト2は、旋回して位置を限定する他の連接構造とすることができるが、本文では記載しない。
【００１６】
連接位置を平坦で突出物のない状態とするため、本発明はさらにベース孔1上には、沈めフライスを設置する。これにより、ベースシャフト2頂点部の凸つまみ21がベース孔1上に係合する時、沈めフライス中に入ることができ、第二構成部材20表面に突出しないため、第二構成部材20表面は平坦で、見た目が美しくなる。
【００１７】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００１８】
本発明は特許の要件である新規性を備え、従来の同類製品に比べ十分な進歩を有し、実用性が高く、社会のニーズに合致しており、産業上の利用価値は非常に大きい。
【符号の説明】
【００１９】
10：第一構成部材  
20：第二構成部材 
1：ベース孔
11：側溝
12：円孔
14：側溝
15：側溝
16：側溝
17：側溝
2：ベースシャフト
21：凸つまみ
22：凸つまみ
23：凸つまみ
24：凸つまみ
25：凸つまみ
【図１】
2013540539.tif 000003
【図２】
2013540539.tif 000004
【図３】
2013540539.tif 000005
【図４】
2013540539.tif 000006
【図５】
2013540539.tif 000007
【図６】
2013540539.tif 000008
【図７】
2013540539.tif 000009
【図８】
2013540539.tif 000010
【図９】
2013540539.tif 000011
【図１０】
2013540539.tif 000012
【国際調査報告】
2013540539.tif 000013
2013540539.tif 000014
2013540539.tif 000015
2013540539.tif 000016